(57)【要約】【課題】安定して駆動できる燃料電池システムを供給する。【解決手段】燃料電池システム１０は、原料ガスを部分酸化改質する第１改質部１４Ａと、原料ガスを二酸化炭素改質及び水蒸気改質の少なくとも一方で改質する第２改質部１４Ｂと、を備えた改質器１４と、改質器１４で生成された燃料ガスと酸化ガスとを反応させて発電を行なう燃料電池（第１燃料電池セルスタック２２）と、燃料電池から排出されたオフガスからスイープガスへ水蒸気又は二酸化炭素の少なくとも一方を含む改質用ガスを移動させる分離膜２６Ｃと、スイープガスに移動した改質用ガスを改質器１４へ供給する改質用ガス供給経路Ｐ３、Ｐ１０、Ｐ１４と、改質器１４へ改質用酸化剤ガスを供給する改質用酸化剤ガス供給手段（流量調整機構６６、改質用酸化剤ガス管Ｐ９）と、を備えている。【選択図】図１
2019204605.tif 000002
【特許請求の範囲】
【請求項１】
原料ガスを部分酸化改質する第１改質部と、前記原料ガスを二酸化炭素改質及び水蒸気改質の少なくとも一方で改質する第２改質部と、を備えた改質器と、
前記改質器で生成された燃料ガスと酸化ガスとを反応させて発電を行なう燃料電池と、
前記燃料電池から排出されたオフガスからスイープガスへ水蒸気又は二酸化炭素の少なくとも一方を含む改質用ガスを移動させる分離膜と、
前記スイープガスに移動した前記改質用ガスを前記改質器へ供給する改質用ガス供給経路と、
前記改質器へ改質用酸化剤ガスを供給する改質用酸化剤ガス供給手段と、
を備えた燃料電池システム。
【請求項２】
前記改質用酸化剤ガス供給手段を制御する制御装置を備え、
前記制御装置は、前記燃料電池の出力に応じて前記改質用酸化剤ガス供給手段による改質用酸化剤ガス供給量を調整する、請求項１に記載の燃料電池システム。
【請求項３】
前記第１改質部は、前記原料ガスの流路において、前記第２改質部の上流側に配置されている、請求項１又は請求項２に記載の燃料電池システム。
【請求項４】
前記改質用酸化剤ガス供給手段は、前記分離膜の上流側において前記スイープガスへ前記改質用酸化剤ガスを供給する、請求項１〜請求項３の何れか１項に記載の燃料電池システム。
【請求項５】
前記スイープガスは前記原料ガスとされている、請求項１〜請求項４の何れか１項に記載の燃料電池システム。
【発明の詳細な説明】
【技術分野】
【０００１】
本発明は、燃料電池システムに関する。
【背景技術】
【０００２】
下記特許文献１には、燃料電池から排出されたオフガスから二酸化炭素を分離する燃料電池システムが開示されている。オフガスから分離された二酸化炭素は、原料ガスと共に改質器へ供給されて再利用される。
【先行技術文献】
【特許文献】
【０００３】
【特許文献１】特開２０１６−１８４５０１号公報
【発明の概要】
【発明が解決しようとする課題】
【０００４】
上記特許文献１の燃料電池システムにおいては、燃料電池の出力が定格運転時と比較して小さい状態では、発電に伴う二酸化炭素の発生量が少なくなる。このため、分離膜による二酸化炭素の分離量及び改質器へ供給される二酸化炭素量が少なくなる。これにより原料ガスに対する改質用ガスの割合が少なくなり、十分な改質用ガスが供給されないことによって、システムの信頼性が損なわれる場合がある。
【０００５】
本発明は上記事実を考慮して、安定して駆動できる燃料電池システムを供給することを目的とする。
【課題を解決するための手段】
【０００６】
請求項１の燃料電池システムは、原料ガスを部分酸化改質する第１改質部と、前記原料ガスを二酸化炭素改質及び水蒸気改質の少なくとも一方で改質する第２改質部と、を備えた改質器と、前記改質器で生成された燃料ガスと酸化ガスとを反応させて発電を行なう燃料電池と、前記燃料電池から排出されたオフガスからスイープガスへ水蒸気又は二酸化炭素の少なくとも一方を含む改質用ガスを移動させる分離膜と、前記スイープガスに移動した前記改質用ガスを前記改質器へ供給する改質用ガス供給経路と、前記改質器へ改質用酸化剤ガスを供給する改質用酸化剤ガス供給手段と、を備えている。
【０００７】
請求項１に記載の燃料電池システムによると、改質器の第１改質部で、原料ガスが部分酸化改質される。このため、第２改質部で二酸化炭素改質及び水蒸気改質され難い状況においても、改質用酸化剤ガスによって改質反応を行なうことができる。
【０００８】
例えば、改質用ガス供給経路を介して改質器へ供給される改質用ガスの量が原料ガスに対して少ない場合でも、改質用酸化剤ガス供給手段によって改質用酸化剤ガスを供給することで、改質反応を行ない、燃料ガスを生成することができる。これにより、システムを安定して駆動できる。
【０００９】
請求項２の燃料電池システムは、請求項１に記載の燃料電池システムにおいて、前記改質用酸化剤ガス供給手段を制御する制御装置を備え、前記制御装置は、前記燃料電池の出力に応じて前記改質用酸化剤ガス供給手段による改質用酸化剤ガス供給量を調整する。
【００１０】
請求項２に記載の燃料電池システムによると、制御装置が、燃料電池の出力に応じて改質用酸化剤ガス供給手段による改質用酸化剤ガス供給量を調整する。
【００１１】
例えば、燃料電池の出力が定格運転時と比較して小さい状態においては、出力低下に伴って、システムへ投入される原料ガス量は減少する。このとき、燃料電池における燃料ガスの利用率が低くなるため、システムへ投入された単位原料ガス量あたりの、燃料電池で発生する水蒸気量及び二酸化炭素量が減少する。これにより、燃料電池から分離膜及び改質用ガス供給経路を介して改質部へ供給される改質用ガスの量が少なくなる（システムへ投入された原料ガス量に対する改質用ガスの量が減少する）。この結果、原料ガスの改質反応が十分に行われなくなりシステムの駆動が不安定になる。また、改質部において炭素活量が増大して炭素析出が発生する虞がある。
【００１２】
これに対し、請求項２に記載の燃料電池システムでは、制御装置が改質用酸化剤ガス供給手段を制御して、改質部へ供給する改質用酸化剤ガス量を増やして改質反応を促進できる。これにより改質用ガスによる改質反応の不足分を補い、システムを安定して駆動できる。また、炭素活量が増大することを抑制して炭素析出が発生することを抑制できる。
【００１３】
請求項３の燃料電池システムは、請求項１又は請求項２に記載の燃料電池システムにおいて、前記第１改質部は、前記原料ガスの流路において前記第２改質部の上流側に配置されている。
【００１４】
請求項３に記載の燃料電池システムによると、第１改質部が第２改質部の上流側に配置されている。このため、原料ガスは、まず改質用酸化剤ガスによって改質され、次いで、改質用酸化剤ガスによって十分に改質されなかった原料ガスが、改質用ガス、すなわち、二酸化炭素及び水蒸気の少なくとも一方によって改質される。
【００１５】
これにより、第２改質部が第１改質部の上流側に配置されている場合と比較して、第２改質部へ供給される未反応の原料ガス量が減る。このため第２改質部において炭素活量が減少し、炭素析出の発生を抑制できる。
【００１６】
請求項４の燃料電池システムは、請求項１〜請求項３の何れか１項に記載の燃料電池システムにおいて、前記改質用酸化剤ガス供給手段は、前記分離膜の上流側において前記スイープガスへ前記改質用酸化剤ガスを供給する。
【００１７】
請求項４に記載の燃料電池システムによると、分離膜の上流側においてスイープガスへ改質用酸化剤ガスが供給される。これにより、分離膜の上流側に改質用酸化剤ガスが供給されない場合と比較して、スイープガスの流量（ボリューム）が増えて分離膜の非透過側と透過側との分圧差が増加する。これにより、改質用ガスが分離膜において分離されやすくなる。
【００１８】
請求項５の燃料電池システムは、請求項１〜請求項４の何れか１項に記載の燃料電池システムにおいて、前記スイープガスは前記原料ガスとされている。
【００１９】
請求項５に記載の燃料電池システムによると、スイープガスが原料ガスとされているため、スイープガスに移動した改質用ガスと原料ガスとが同じ経路を介して改質器へ供給される。すなわち、改質用ガスの経路と原料ガスの経路とを兼用できるため、改質用ガスの経路と原料ガスの経路とを別々に設ける場合と比較してシステムの構成を簡略化できる。
【発明の効果】
【００２０】
本発明に係る燃料電池システムは、安定して駆動できる。
【図面の簡単な説明】
【００２１】
【図１】本発明の実施形態に係る燃料電池システムの全体構成の一例を示すブロック図である。
【図２】比較例に係る燃料電池システムにおける燃料電池の出力と燃料利用率との関係及び比較例に係る燃料電池システムにおける燃料電池の出力と炭素活量との関係を示すグラフである。
【図３】比較例に係る燃料電池システムにおける燃料電池の出力と炭素活量との関係を示すグラフ、本発明の実施形態に係る燃料電池システムにおける燃料電池の出力と改質器へ供給されるガスに含まれる改質用酸化剤ガス量比との関係を示すグラフ及び本発明の実施形態に係る燃料電池システムにおける燃料電池の出力と炭素活量との関係を示すグラフである。
【図４】本発明の実施形態に係る燃料電池システムにおいてシステム停止時の制御方法を示したフローチャートである。
【図５】本発明の実施形態に係る燃料電池システムにおいてシステム起動時の制御方法を示したフローチャートである。
【図６】本発明の実施形態に係る燃料電池システムにおいてスイープガスとして改質用酸化剤ガスを供給する変形例を示したブロック図である。
【発明を実施するための形態】
【００２２】
＜燃料電池システム＞
図１に示すように、本発明の実施形態に係る燃料電池システム１０は、改質器１４、燃焼器１６、熱交換器１８、第１燃料電池セルスタック２２、第２燃料電池セルスタック２４、燃料再生器２６、水タンク３２、流量調整機構６６及び制御装置６８を備えている。
【００２３】
（改質器）
改質器１４は、原料ガスを部分酸化改質する第１改質部１４Ａと、原料ガスを二酸化炭素改質及び水蒸気改質することが可能な第２改質部１４Ｂを、を備えている。改質器１４では、原料ガスが第１改質部１４Ａ及び第２改質部１４Ｂの少なくとも一方で改質されて改質ガスが生成される。
【００２４】
改質器１４には、配管Ｐ３の一端が接続されており、原料ガス、改質用ガス及び改質用酸化剤ガスが配管Ｐ３を通じて改質器１４に供給される。「改質用ガス」とは、水蒸気及び二酸化炭素の少なくとも一方を含み、第２改質部１４Ｂにおいて原料ガスを改質（水蒸気改質及び二酸化炭素改質の少なくとも一方）する気体のことである。また、「改質用酸化剤ガス」とは、空気を含み、第１改質部１４Ａにおいて原料ガスを部分酸化改質する気体のことである。
【００２５】
改質部１４Ａにおいて原料ガスの一例であるメタンを部分酸化改質させた場合、以下の（１−１）式の反応により一酸化炭素及び水素が生成される。
ＣＨ４＋１／２Ｏ２→ＣＯ＋２Ｈ２  ・・・（１−１）
【００２６】
改質部１４Ｂにおいて原料ガスの一例であるメタンを水蒸気改質させた場合、以下の（１−２）式の反応により一酸化炭素及び水素が生成される。
ＣＨ４＋Ｈ２Ｏ→ＣＯ＋３Ｈ２  ・・・（１−２）
【００２７】
改質部１４Ｂにおいて原料ガスの一例であるメタンを二酸化炭素改質させた場合、以下の（１−３）式の反応により一酸化炭素及び水素が生成される。
ＣＨ４＋ＣＯ２→２ＣＯ＋２Ｈ２  ・・・（１−３）
【００２８】
なお、本実施形態では、原料ガスの一例としてメタンが採用されているが、改質が可能なガスであれば特に限定されず、炭化水素燃料を用いることができる。炭化水素燃料としては、天然ガス、ＬＰガス（液化石油ガス）、石炭改質ガス、低級炭化水素ガスなどが例示される。低級炭化水素ガスとしては、メタン、エタン、エチレン、プロパン、又はブタン等の炭素数４以下の低級炭化水素が挙げられ、本実施形態で用いるメタンが好ましい。なお、炭化水素燃料としては、上述した低級炭化水素ガスを混合したものであってもよく、上述した低級炭化水素ガスは、天然ガス、都市ガス、又はＬＰガス、バイオガス等のガスであってもよい。さらに、原料ガスは、これらの混合ガスであってもよい。
【００２９】
改質器１４には、改質ガス供給管Ｐ４の一端が接続されている。改質ガス供給管Ｐ４の他端は、第１燃料電池セルスタック２２におけるアノード（不図示）に接続されている。これにより、改質器１４にて生成された改質ガスが、改質ガス供給管Ｐ４を通じて第１燃料電池セルスタック２２に供給される。改質ガスには、未反応のメタン、改質器１４で生成された水素、一酸化炭素、未反応の二酸化炭素及び水蒸気等が含まれている。
【００３０】
（燃料電池セルスタック）
第１燃料電池セルスタック２２は例えば固体酸化物系の燃料電池セルスタックであり、積層された複数の燃料電池セル（不図示）を有している。個々の燃料電池セルは、電解質層と、電解質層の表裏面にそれぞれ積層されたカソード及びアノードと、を有する。なお、第１燃料電池セルスタック２２は溶解炭酸塩型の燃料電池セルスタックとしてもよい。
【００３１】
第１燃料電池セルスタック２２のカソードには、酸化ガスが流れる管である酸化ガス管Ｐ５の一端が接続されている。カソードには、酸化ガス管Ｐ５を介して酸化ガス（本実施形態においては空気）が供給される。カソードでは、以下の（２）式に示すように、酸化ガス中の酸素と電子とが反応して酸素イオンが生成される。生成された酸素イオンは電解質層を通ってアノードに到達する。
【００３２】
１／２Ｏ２＋２ｅ−→Ｏ２−  ・・・（２）
【００３３】
一方、アノードでは、以下の（３）式及び（４）式に示すように、電解質層を通ってきた酸素イオンが改質ガス中の燃料ガスである水素及び一酸化炭素と反応し、水(水蒸気)、二酸化炭素及び電子が生成される。アノードで生成された電子がアノードから外部回路を通ってカソードに移動することで、各燃料電池セルにおいて発電される。なお、各燃料電池セルは、発電時に発熱する。
【００３４】
Ｈ２＋Ｏ２−→Ｈ２Ｏ＋２ｅ−  ・・・(３)
【００３５】
ＣＯ＋Ｏ２−→ＣＯ２＋２ｅ−  ・・・(４)
【００３６】
第１燃料電池セルスタック２２のアノードには、アノードオフガスが流れる管であるアノードオフガス管Ｐ６の一端が接続されており、アノードオフガス管Ｐ６にはアノードオフガスが排出される。アノードオフガスには、未反応の水素、未反応の一酸化炭素、二酸化炭素、及び水蒸気等が含まれている。
【００３７】
第１燃料電池セルスタック２２のカソードには、カソードオフガスが流れる管であるカソードオフガス管Ｐ７の一端が接続されており、カソードオフガス管Ｐ７にはカソードオフガスが排出される。カソードオフガスには、未反応の酸化ガスなどが含まれている。
【００３８】
アノードオフガス管Ｐ６の他端は、燃料再生器２６の流入部２６Ａに接続され、カソードオフガス管Ｐ７の他端は、第２燃料電池セルスタック２４のカソード（不図示）に接続されている。
【００３９】
第２燃料電池セルスタック２４の構成は第１燃料電池セルスタック２２と同様であり詳細の説明は省略するが、上述したように、第２燃料電池セルスタック２４のカソードには、カソードオフガス管Ｐ７の一端が接続されている。また、第２燃料電池セルスタック２４のアノードには、後述する再生ガス管Ｐ８の一端が接続されている。
【００４０】
さらに、第２燃料電池セルスタック２４のカソードには、カソードオフガスが流れる管であるカソードオフガス管Ｐ１１の一端が接続されており、カソードオフガス管Ｐ１１には、カソードオフガスが排出される。カソードオフガスには、未反応の酸化ガスなどが含まれており、カソードオフガスは、カソードオフガス管Ｐ１１を介して燃焼器１６へ供給される。
【００４１】
第２燃料電池セルスタック２４のアノードには、アノードオフガスが流れる管であるアノードオフガス管Ｐ１３の一端が接続されており、アノードオフガス管Ｐ１３には、アノードオフガスが排出される。アノードオフガスには、未反応の水素、未反応の一酸化炭素、二酸化炭素、及び水蒸気等が含まれており、アノードオフガスはアノードオフガス管Ｐ１３を介して燃焼器１６へ供給される。なお、以下の説明においては、第１燃料電池セルスタック２２及び第２燃料電池セルスタック２４を総称して燃料電池２０と称す場合がある。
【００４２】
（燃料再生器）
燃料再生器２６は、流入部２６Ａと透過部２６Ｂとを備えており、流入部２６Ａ及び透過部２６Ｂは、分離膜２６Ｃにより区画されている。
【００４３】
第１燃料電池セルスタック２２のアノードから排出されたアノードオフガスは、アノードオフガス管Ｐ６を介して流入部２６Ａに流入する。
【００４４】
透過部２６Ｂには、原料ガス供給管Ｐ１から供給された原料ガスが、スイープガスとして供給される。原料ガス供給管Ｐ１には、酸化ガス管Ｐ５から分岐した改質用酸化剤ガス管Ｐ９が接続されている。これにより、透過部２６Ｂには、原料ガスの他、改質用酸化剤ガス管Ｐ９から供給された改質用酸化剤ガス（空気）が供給される。なお、流量調整機構６６及び改質用酸化剤ガス管Ｐ９は、本発明における改質用酸化剤ガス供給手段の一例である。
【００４５】
原料ガス供給管Ｐ１から原料ガス及び改質用酸化剤ガスが供給されると、透過部２６Ｂにおける水蒸気及び二酸化炭素の分圧が下がり、流入部２６Ａから分離膜２６Ｃを透過して水蒸気及び二酸化炭素が透過部２６Ｂへ移動する。透過部２６Ｂには配管Ｐ１０の一端が接続されており、原料ガスは、改質用酸化剤ガス、分離膜２６Ｃを透過した改質用ガス（水蒸気及び二酸化炭素）と共に、透過部排出ガスとして透過部２６Ｂから配管Ｐ１０へ送出される。
【００４６】
改質用酸化剤ガス管Ｐ９の途中箇所には、燃料再生器２６へ供給する改質用酸化剤ガスの流量を調整する流量調整機構６６が設けられている。流量調整機構６６は、例えば流量調整弁を用いて構成される。
【００４７】
流入部２６Ａにおいて、アノードオフガスから水蒸気及び二酸化炭素が除去されたガスは、再生ガスとして再生ガス管Ｐ８を介して第２燃料電池セルスタック２４のアノードへ流入する。
【００４８】
（燃焼器、熱交換器）
燃焼器１６は、第２燃料電池セルスタック２４のカソード及びアノードから供給された使用済みのガスを焼却に供する。燃焼器１６には、排気管Ｐ１２の一端が接続されており、燃焼後の排出ガスは、排気管Ｐ１２へ送出される。排気管Ｐ１２の途中箇所は熱交換器１８に配置されている。
【００４９】
熱交換器１８では、排気管Ｐ１２の熱により、配管Ｐ１４を通る改質用ガス及び原料ガスを改質反応（水蒸気改質及び二酸化炭素改質）に適した温度に昇温する。さらに、配管Ｐ１４を通る改質用酸化剤ガス及び原料ガスを部分酸化改質反応に適した温度に昇温する。熱交換器１８で昇温された改質用ガス、改質用酸化剤ガス及び原料ガスは、配管Ｐ３を介して改質器１４へ供給される。配管Ｐ３は、改質用ガス供給経路であり、改質用酸化剤ガス供給経路であり、原料ガス供給経路である。
【００５０】
（水タンク）
水タンク３２には、燃料再生器２６の透過部２６Ｂから送出された透過部排出ガス（スイープガス）が、配管Ｐ１０を介して流入する。一端が透過部２６Ｂに接続された配管Ｐ１０の他端側は、水タンク３２に挿入されている。これにより、水タンク３２の内部に、透過部排出ガスに含まれる水蒸気が凝縮した凝縮水が蓄えられる。なお、水タンク３２内部又は配管Ｐ１０の途中箇所には、冷却機構を設けることができる。
【００５１】
また、水タンク３２には配管Ｐ１４の一端が挿入されており、配管Ｐ１４の他端は熱交換器１８に接続されている。これにより水タンク３２において未凝縮の水蒸気と二酸化炭素とを含んだ改質用ガス、改質用酸化剤ガス及び原料ガスが、熱交換器１８へ供給される。
【００５２】
さらに、水タンク３２には排出管Ｐ１６が接続されている。これにより、水タンク３２に蓄えられた凝縮水を、システム外へ排出することができる。
【００５３】
（制御装置）
制御装置６８は、第１燃料電池セルスタック２２、第２燃料電池セルスタック２４及び流量調整機構６６と接続されている。なお、制御装置６８と第１燃料電池セルスタック２２とは、電流などを制御するパワーコンディショナーを介して接続されている。制御装置６８と第２燃料電池セルスタック２４についても同様である。
【００５４】
制御装置は、一例として、燃料電池２０（第１燃料電池セルスタック２２及び第２燃料電池セルスタック２４）の定格運転時には、流量調整機構６６による原料ガス供給管Ｐ１への改質用酸化剤ガスの供給を停止する。また別の一例として、燃料電池２０の出力低下時には、流量調整機構６６によって原料ガス供給管Ｐ１へ改質用酸化剤ガスを供給する。このとき、改質用酸化剤ガスの供給量は、燃料電池２０の出力に応じて調整する。
【００５５】
＜作用・効果＞
図２には、比較例に係る燃料電池システムにおける燃料電池の出力と燃料利用率との関係が曲線Ｃ１に示されている。比較例に係る燃料電池システムは、改質器へ改質用酸化剤ガスを供給する改質用酸化剤ガス管Ｐ９を備えていない点で、本発明の実施形態に係る燃料電池システム１０と異なる。「燃料利用率」とは、燃料電池２０へ供給される燃料のうち、燃料電池で発電に利用される燃料の割合のことである。燃料電池で利用される発電燃料以外の燃料は、燃焼器１６で利用される。曲線Ｃ１に示されるように、燃料電池の出力が小さい状態においては、燃料電池における燃料ガスの利用率が低くなる。
【００５６】
また、図２には、比較例に係る燃料電池システムにおける燃料電池の出力と、改質器における炭素活量との関係が曲線Ｃ２で示されている。曲線Ｃ２に示されるように、燃料電池の出力が小さくなると、改質器における炭素活量が大きくなる。
【００５７】
これは、燃料電池における燃料ガスの利用率が低くなった結果、システムへ投入された単位原料ガス量あたりの、燃料電池で発生する水蒸気量及び二酸化炭素量が減少するためである。これにより、燃料電池から分離膜及び改質用ガス供給経路を介して改質部へ供給される改質用ガスの量が少なくなる（システムへ投入された原料ガス量に対する改質用ガスの量が減少する）。この結果、原料ガスの改質反応が十分に行われなくなり炭素活量が大きくなる。炭素活量が大きくなると、改質器において炭素析出が発生し易くなる。
【００５８】
これに対して、図３には、本発明の実施形態に係る燃料電池システム１０における燃料電池２０の出力と、改質器１４へ供給されるガスにおける「改質用酸化剤ガス量比」との関係が曲線Ｃ３に示されている。本実施形態に係る燃料電池システム１０において、改質器１４へ供給されるガスには原料ガス（メタン）、改質用ガス及び改質用酸化剤ガスが含まれているが、「改質用酸化剤ガス量比」とは、原料ガス量に対する改質用酸化剤ガス量の比率（λ）である。
【００５９】
改質用酸化剤ガス量比は、制御装置６８が流量調整機構６６を制御することによって調整される。曲線Ｃ３に示されるように、制御装置６８は、燃料電池２０の出力が小さくなると、流量調整機構６６を制御して改質用酸化剤ガスの導入量を調整する。具体的には、原料ガス量に対する改質用酸化剤ガス量の比率を大きくして、改質用酸化剤ガス量比（λ）を大きくする。
【００６０】
燃料電池２０の出力が小さい状態においては、例えば定格運転時と比較して、発電に伴って第１燃料電池セルスタック２２において生成される水蒸気量及び二酸化炭素量が少ない。このため、分離膜２６Ｃ及び改質用ガス供給経路（配管Ｐ１０、Ｐ１４、Ｐ３）を介して改質器１４へ供給される改質用ガスの量は少なくなる。これにより、第２改質部１４Ｂにおける改質反応（水蒸気改質及び二酸化炭素改質）だけでは、改質器１４に供給される原料ガスを改質できない場合がある。
【００６１】
しかし、制御装置６８及び流量調整機構６６によって、改質器１４へ供給されるガスの改質用酸化剤ガス量比（λ）を大きくすることにより、第１改質部１４Ａにおける部分酸化改質反応が促進される。このため、第２改質部１４Ｂにおける改質反応の不足分を補うことができる。これにより改質器１４における改質反応の低減が抑制され、出力低下時においてもシステムを安定して駆動できる。
【００６２】
また、第１改質部１４Ａにおける部分酸化改質反応が促進されることにより、水素と一酸化炭素の生成が促進され、図３に曲線Ｃ４で示されるように、改質器１４における炭素活量は、比較例に係る燃料電池システムにおける炭素活量（曲線Ｃ２）と比較して低減される。これにより、燃料電池２０の低出力時における炭素析出の発生が抑制される。
【００６３】
また、本実施形態においては、第１燃料電池セルスタック２２から排出されたアノードオフガスから、水蒸気及び二酸化炭素が、原料ガスへ移動する。このため、水蒸気及び二酸化炭素の何れか一方が原料ガスへ移動する場合や、何れも移動しない場合と比較して、再生ガス管Ｐ８を介して第２燃料電池セルスタック２４のアノードへ流入する再生ガスの作動電圧及び燃料利用率を向上させることができる。
【００６４】
また、本実施形態においては、燃料再生器２６の透過部２６Ｂに、改質用酸化剤ガス管Ｐ９が接続されている。これにより、透過部２６Ｂには、原料ガスの他、改質用酸化剤ガス管Ｐ９から供給された改質用酸化剤ガスがスイープガスとして供給される。このため、透過部２６Ｂに原料ガスのみを供給する場合と比較してスイープガスの流量（ボリューム）が増え、分離膜の分圧差が増加して、原料ガスの流量が小さい場合においても、分離度が向上することが期待できる。
【００６５】
（制御方法）
図４には、燃料電池２０の出力が定格運転時より小さい状態の一例として、「低出力運転時」において燃料電池２０の出力を下げている状態における制御装置６８による流量調整機構６６の制御方法がフローチャートで示されている。
【００６６】
図４に示すように、システムを低出力運転に切り替える際、定格運転している燃料電池２０の出力を下げ始める（ステップ１００Ｓ）。原料ガスの供給量を徐々に減らすことにより、出力は徐々に低下する。
【００６７】
燃料電池２０の出力が定格運転時の出力に対して一定の割合（Ｘ％）未満まで低下したら（ステップ１０２Ｓ）、制御装置６８は流量調整機構６６の空気弁を開き、原料ガス供給管Ｐ１へ改質用酸化剤ガスを供給する（ステップ１０４Ｓ）。このときの改質用酸化剤ガスの供給量は、予め制御装置６８に記録された改質用酸化剤ガス量比（λ１）に基づいて決定される。
【００６８】
なお、燃料電池２０の出力が定格運転時の出力に対して一定の割合（Ｙ％）未満（Ｘ＞Ｙ）まで低下したら（ステップ１０６Ｓ）、システムは停止シーケンスへ移行する。具体的には、制御装置６８が流量調整機構６６の空気弁を制御して、原料ガス供給管Ｐ１へ供給する改質用酸化剤ガス量を調整する（ステップ１０８Ｓ）。ステップ１０８Ｓにおける改質用酸化剤ガス量比（λ２）は、ステップ１０４Ｓにおける改質用酸化剤ガス量比（λ１）より大きい。
【００６９】
燃料電池２０の出力がゼロになった時点で、システムを停止する（ステップ１１０Ｓ）。このように、本実施形態の燃料電池システム１０によると、システム停止前に燃料電池２０の出力を下げている状態において、改質器１４へ供給されるガスの改質用酸化剤ガス量比を徐々に大きくする。これにより、改質器１４における改質反応の低減及び炭素析出の発生を抑制できる。
【００７０】
また、図５には、燃料電池２０の出力が定格運転時より小さい状態の別の一例として、「システム起動後」において燃料電池２０の出力を上げている状態における制御装置６８による流量調整機構６６の制御方法がフローチャートで示されている。
【００７１】
図５に示すように、システムを起動する際、停止している燃料電池２０の出力を上げ始める（ステップ１２０Ｓ）。原料ガスの供給量を徐々に増やすことにより、出力は徐々に増加する。
【００７２】
システムを起動した後、制御装置６８は流量調整機構６６の空気弁を開き、原料ガス供給管Ｐ１へ改質用酸化剤ガスを供給する（ステップ１２２Ｓ）。このときの改質用酸化剤ガスの供給量は、予め制御装置６８に記録された改質用酸化剤ガス量比（λ２）に基づいて決定される。
【００７３】
燃料電池２０の出力が定格運転時の出力に対して一定の割合（Ｙ％）以上まで上昇したら（ステップ１２４Ｓ）、制御装置６８は流量調整機構６６の空気弁を制御して、原料ガス供給管Ｐ１へ供給する改質用酸化剤ガス量を調整する（ステップ１２６Ｓ）。ステップ１２６Ｓにおける改質用酸化剤ガス量比（λ１）は、ステップ１２２Ｓにおける改質用酸化剤ガス量比（λ２）より小さい。
【００７４】
なお、図４に示した改質用酸化剤ガス量比（λ１）と図５に示した改質用酸化剤ガス量比（λ１）とは必ずしも一致させる必要はない。同様に、図４に示した改質用酸化剤ガス量比（λ２）と図５に示した改質用酸化剤ガス量比（λ２）とは必ずしも一致させる必要はない。さらに、制御装置６８が流量調整機構６６の空気弁を制御するタイミング（Ｘ％及びＹ％）についても、図４と図５では異なる値を採用することができる。
【００７５】
さらに燃料電池２０の出力が定格運転時の出力に対して一定の割合（Ｘ％）以上まで上昇したら（ステップ１２８Ｓ）、制御装置６８は流量調整機構６６の空気弁を閉じて、原料ガス供給管Ｐ１への改質用酸化剤ガスの供給を停止する（ステップ１３０Ｓ）。その後、定格運転となる（ステップ１３２Ｓ）。
【００７６】
このように、本実施形態の燃料電池システム１０によると、システム起動後に燃料電池２０の出力を上げている状態において、起動直後に改質器１４へ供給されるガスの改質用酸化剤ガス量比を大きくして、出力の増加に伴い徐々に小さくする。これにより、低出力時における改質器１４における改質反応の低減及び炭素の析出を抑制する。また、出力の増加と共に、部分酸化改質反応が水蒸気改質反応及び二酸化炭素改質反応へ移行する。
【００７７】
なお、制御装置６８が流量調整機構６６を制御する際の燃料電池２０の出力値（Ｘ％、Ｙ％）は任意である。一例として、燃料電池２０の出力値が、炭素活量が上昇し始める出力値及び炭素活量が大きく上昇し始める出力値になった時点で、制御装置６８が流量調整機構６６を制御する。
【００７８】
また、制御装置６８が流量調整機構６６を制御するときの改質用酸化剤ガス量比（λ１、λ２）も任意であるが、一例として、これらのλ１、λ２の値は、例えば改質器１４における改質反応における量論比等に基づいて決定することができる。
【００７９】
（その他の実施形態）
本実施形態においては、改質用酸化剤ガス供給手段として、酸化ガス管Ｐ５から分岐した改質用酸化剤ガス管Ｐ９及び流量調整弁である流量調整機構６６を用いているが、本発明の実施形態はこれに限らない。例えば端部が酸化ガス管Ｐ５に接続していない配管から、ブロア等を用いて改質用酸化剤ガスを原料ガス供給管Ｐ１へ供給してもよい。
【００８０】
また、改質用酸化剤ガスを供給する場所は、原料ガス供給管Ｐ１に限らず、例えば配管Ｐ１０、Ｐ１４、Ｐ３の何れかであってもよい。さらには、改質器１４の第１改質部１４Ａへ配管を接続し、この配管から第１改質部１４Ａへ改質用酸化剤ガスを直接供給してもよい。
【００８１】
また、例えばカソードオフガス管Ｐ７やカソードオフガス管Ｐ１１から配管を分岐させ、この分岐させた配管から、配管Ｐ１０、Ｐ１４、Ｐ３等に改質用酸化剤ガスを供給してもよい。
【００８２】
また、本実施形態においては、制御装置６８は、燃料電池２０の出力が定格運転時の出力に対して一定の割合（Ｘ％、Ｙ％）になった時点で流量調整機構６６を制御しているが、本発明の実施形態はこれに限らない。例えば、Ｘ％、Ｙ％になった時点の２回だけでなく、３回以上制御してもよいし、１回のみ制御してもよい。なお、３回以上制御する場合には、燃料電池２０の出力の変化に応じて連続的に改質用酸化剤ガスの流量を調整し続ける無段階制御も含まれる。
【００８３】
また、本実施形態においては、制御装置６８が燃料電池２０の出力に応じて流量調整機構６６を制御しているが、本発明の実施形態はこれに限らない。例えば燃料電池２０の出力に関わらず、一定量の改質用酸化剤ガスを改質器１４へ供給してもよい。一定量の改質用酸化剤ガスを改質器１４へ供給すれば、燃料電池２０の出力が下がった場合においても、改質部１４Ａにおいて部分酸化改質によって原料ガスを改質できる。この場合、制御装置６８は必ずしも必要ない。
【００８４】
また、本実施形態においては、改質用ガスとして水蒸気及び二酸化炭素の双方が分離膜２６Ｃを通過するものとしたが、本発明の実施形態はこれに限らない。例えば分離膜２６Ｃは、改質用ガスとして二酸化炭素のみを通過させる構成としてもよい。この場合、配管Ｐ１０に排出される透過部排出ガスには水蒸気がほとんど含まれないため、水タンク３２を省略することができる。
【００８５】
あるいは、例えば分離膜２６Ｃは、改質用ガスとして水蒸気のみを通過させる構成としてもよい。この場合、例えば排出管Ｐ１６から、図１に破線で示す配管Ｐ１５を分岐させて、熱交換器１８へ水（液相）を供給してもよい。熱交換器１８へ供給された水は、排気管Ｐ１２の熱により気化されて、さらに改質部１４Ｂにおける水蒸気改質反応に適した温度に昇温される。なお、配管Ｐ１５は、水蒸気及び二酸化炭素の双方が分離膜２６Ｃを通過する実施形態にも適用できる。
【００８６】
また、本実施形態においては、原料ガス供給管Ｐ１が燃料再生器２６の透過部２６Ｂに接続され、原料ガスがスイープガスとして用いられている（所謂原料スイープ）が、本発明の実施形態はこれに限らない。例えば図６に示すように、原料ガス供給管Ｐ１を改質器１４に接続してもよい。この場合、燃料再生器２６の透過部２６Ｂには改質用酸化剤ガス管Ｐ９を接続し、改質用酸化剤ガスをスイープガスとして用いる（所謂空気スイープ）。
【００８７】
また、本実施形態において、燃料電池セルスタックを２段で構成しているが、本発明の実施形態はこれに限らない。例えば３段以上の任意の段数の燃料電池セルスタックを用いてもよい。
【００８８】
また、本実施形態においては、第１燃料電池セルスタック２２及び第２燃料電池セルスタック２４を備えた多段式の燃料電池システムとされているが、本発明の実施形態はこれに限らない。例えば図１に示す第２燃料電池セルスタック２４、カソードオフガス管Ｐ１１及びアノードオフガス管Ｐ１３を省略し、再生ガス管Ｐ８の一部を配管Ｐ３や改質ガス供給管Ｐ４へ接続し、さらに一部を燃焼器１６に接続し、カソードオフガス管Ｐ７を燃焼器１６に接続した循環式の燃料電池システムとしてもよい。このように、本発明は様々な態様で実施することができる。
【００８９】
また、本実施形態においては、燃料ガスを生成するための改質器１４を設けているが、本発明の実施形態はこれに限らない。例えば改質器１４を設けず、第１燃料電池セルスタック２２へ水蒸気と原料ガスとを供給してもよい。この場合、第１燃料電池セルスタック２２において改質反応を行なう。このように、本発明における「改質部」（第１改質部及び第２改質部）とは、燃料電池と別体に設けられた改質器１４のほか、燃料電池内で改質反応が行われる部分の双方を指すものとする。このように、本発明は様々な態様で実施することができる。
【符号の説明】
【００９０】
１０    燃料電池システム
１４    改質器
１４Ａ  第１改質部
１４Ｂ  第２改質部
２０    燃料電池
２２    第１燃料電池セルスタック（燃料電池）
２６Ｃ  分離膜
６６    流量調整機構（改質用酸化剤ガス供給手段）
６８    制御装置
Ｐ３    配管（改質用ガス供給経路）
Ｐ９    改質用酸化剤ガス管（改質用酸化剤ガス供給手段）
Ｐ１０  配管（改質用ガス供給経路）
Ｐ１４  配管（改質用ガス供給経路）
【図１】
2019204605.tif 000003
【図２】
2019204605.tif 000004
【図３】
2019204605.tif 000005
【図４】
2019204605.tif 000006
【図５】
2019204605.tif 000007
【図６】
2019204605.tif 000008